(57)【要約】【課題】情報機器から何れのサーバへデータを転送したか不明となっても、データを利用可能とする。【解決手段】電子タグリーダ３０は、電子タグ２０を有する情報機器２から電子タグの記憶内容を読む。タグ解析部３６は、読込み内容から、情報機器２の識別情報Ｉｄ(ｉ) 、アイコン画像情報Ｉｃｏｎ(ｉ) 、情報機器２が接続されているサーバ４又は情報機器２が作成したデータを保持するサーバ４のサーバアドレス情報Ｓｅｒ(ｉ,ｍ)を抽出、タグ記憶部３３へ記憶する。制御部３５は、情報機器２のアイコンを表示部３１へ表示する。入力解析部３７は、入力部３２からのアイコン(ｉ) の選択操作を解析し、制御部３５は、アイコン(ｉ) に対応するサーバアドレスＳｅｒ(ｉ,ｍ)を有するサーバ４に識別情報Ｉｄ(ｉ) を送信、サーバ４から受信した情報機器のデータを表示部３１へ表示する。【選択図】図１
2010211353.tif 000002
【特許請求の範囲】
【請求項１】
情報機器と通信する通信手段と、
該通信手段により前記情報機器の識別情報、前記情報機器の形態を示すアイコン画像情報、及び前記情報機器が接続されたサーバまたは前記情報機器から転送されたデータを保持するサーバへアクセスするためのサーバアドレス情報を読み出すタグ解析部と、
前記識別情報と前記アイコン画像情報と前記サーバアドレス情報とを関連づけて記憶するタグ記憶部と、
前記記憶されたアイコン画像情報をアイコン画像として表示可能な表示部と、
該表示部上の位置を入力可能な入力部と、
ネットワークに接続可能な送受信部と、
前記入力部から入力された位置に表示されたアイコン画像に対応する情報機器の識別情報を特定する入力解析部と、
前記特定された識別情報に対応する前記サーバアドレス情報及び前記識別情報に基づいて前記送受信部を介してネットワークにアクセスし、前記情報機器が接続されたサーバまたは前記情報機器から転送されたデータを保持するサーバから取得したデータを前記表示部に表示させる制御部と、
を備えたことを特徴とする仮想アクセス制御装置。
【請求項２】
前記表示部は、電子ペーパを備えたものであることを特徴とする請求項１に記載の仮想アクセス制御装置。
【請求項３】
前記通信手段は、電子タグを有する情報機器から該電子タグの記憶内容を読み取る電子タグリーダであり、
前記タグ解析部は、該電子タグリーダが読み取った電子タグの記憶内容から、前記情報機器の識別情報、前記情報機器の形態を示すアイコン画像情報、及び前記情報機器が接続されたサーバまたは前記情報機器から転送されたデータを保持するサーバへアクセスするためのサーバアドレス情報を抽出するタグ解析部であることを特徴とする請求項１または請求項２に記載の仮想アクセス制御装置。
【請求項４】
前記入力部は、タッチパネルを備えたものであり、
前記情報機器からアイコン画像情報を受信した際の前記タッチパネルに入力された位置に応じて、前記表示部へアイコン画像を表示することを特徴とする請求項１乃至請求項３の何れか１項に記載の仮想アクセス制御装置。
【発明の詳細な説明】
【技術分野】
【０００１】
本発明は、ネットワークを介して情報機器のデータを取得する仮想アクセス制御装置に関する。
【背景技術】
【０００２】
近年、携帯電話やデジタルカメラ等の情報機器が増加し、多種多様なデータがこれらの情報機器から作られる状況になっている。これらの情報機器で作成されたデータは、その情報機器の内部記憶装置に記憶されていると簡単な操作によりデータを呼び出すことができる。例えば、携帯電話のアドレス帳データやデジタルカメラで撮影した画像データが該当する。
【０００３】
しかしながら、データを作成した情報機器からパーソナルコンピュータ（以下、ＰＣと略す）やサーバなどに転送されて、その情報機器の内部記憶装置には残っていない場合もある。さらにホームページやブログの構成データとして存在している場合もあり、１つの情報機器で作成されたデータが分散もしくは散逸している場合も多い。
【０００４】
電子タグにより画像データを管理する従来技術として、例えば特許文献１に記載の技術が知られている。この従来技術は、デジタルカメラに記憶されている画像データを指定して、デジタルカメラから無線タグ付きシールを排出させる。そして、入場券の半券や催し物のプログラム等のシート状の記念物に、無線タグ付きシールを貼り付けてアルバムに保存する。この電子タグには記念物に関連するデジタル写真のデータが記憶されている。記念物に貼り付けられた無線タグをビューアで読み取ることにより、記念物に関連したデジタル写真がビューアに表示される。
【特許文献１】特開２００６−１４８６１１号公報
【発明の概要】
【発明が解決しようとする課題】
【０００５】
しかしながら、特許文献１に記載の技術は、特定の記念物に対応した画像データを呼び出すためのものであり、例えばあるデジタルカメラで撮影した全ての画像データの中から画像を探したい場合などには、有効ではない。
【０００６】
ある情報機器で作成したデータを参照したい場合に、その情報機器の内部にデータが残っていない或いはその情報機器が手元にないと、ネットワークに接続されたＰＣやサーバの何れに転送したか、データ作成時期や転送時刻、ＰＣやサーバなどのフォルダ名などのユーザの記憶を頼りにアクセスして探すことになり、データを見つけることが困難であるという問題点があった。
【０００７】
以上の問題点に鑑み、本発明の目的は、データを作成した情報機器が手元になくても、さらに何処へデータを転送したか判らなくなっても、データを作成した情報機器のソフトリンク（エイリアス）を用いてデータを取得可能とする仮想アクセス制御装置を提供することである。
【課題を解決するための手段】
【０００８】
上記目的を達成するために、開示の仮想アクセス制御装置は、通信手段と、タグ解析部と、タグ記憶部と、表示部と、入力部と、送受信部と、入力解析部と、制御部と、を備えた仮想アクセス制御装置であって、情報機器から電子タグの記憶内容を読み取り、この電子タグの記憶内容から、前記情報機器の識別情報、前記情報機器の形態を示すアイコン画像情報、及び前記情報機器が接続されたサーバまたは前記情報機器から転送されたデータを保持するサーバへアクセスするためのサーバアドレス情報を抽出し、前記情報機器毎に、前記識別情報と前記アイコン画像情報と前記サーバアドレス情報とを関連づけて記憶し、アイコン画像を表示し、前記入力部から入力された位置に表示されたアイコン画像に対応する情報機器を特定し、前記特定された情報機器の識別情報及び情報機器のデータにアクセスするためのサーバアドレス情報を読み出して、前記サーバアドレス情報及び前記識別情報に基づいてネットワークにアクセスし、サーバより取得したデータを前記表示部に表示させる。
【発明の効果】
【０００９】
開示の仮想アクセス制御装置によれば、データを作成した情報機器が手元になくても、情報機器にデータが残っていなくても、また情報機器から何れのサーバへデータを転送したかを記憶していなくても、仮想アクセス制御装置によりデータを取得して利用することができるという効果がある。
【図面の簡単な説明】
【００１０】
【図１】本発明に係る仮想アクセス制御装置の実施例を含む仮想アクセス制御システムを説明するシステム構成図である。
【図２】図１におけるサーバの構成例を示すブロック図である。
【図３】実施例の仮想アクセス制御装置による電子タグの読み取り処理を説明するフローチャートである。
【図４】実施例の仮想アクセス制御装置によるデータ閲覧処理を説明するフローチャートである。
【図５】実施例におけるサーバの処理を説明するフローチャートである。
【図６】（ａ）電子タグの読み取り、（ｂ）アイコン操作によるデータ要求送信、（ｃ）受信データの表示、をそれぞれ示す仮想アクセス制御装置の使用状態を説明する概念図である。
【発明を実施するための形態】
【００１１】
次に図面を参照して、本発明の実施の形態を詳細に説明する。図１は、本発明に係る仮想アクセス制御装置の実施例を含む仮想アクセス制御システムを説明するシステム構成図である。尚、本実施の形態においては、仮想アクセス制御装置から情報機器のタグ情報を読み取る通信手段として、電子タグリーダを備えているものとする。
【００１２】
図１において、仮想アクセス制御システム１は、情報機器２（２ａと２ｂとを総称して２とする）と、仮想アクセス制御装置３と、サーバ４（４ａと４ｂとを総称して４とする）と、仮想アクセス制御装置３とサーバ４との間を接続可能するネットワーク５とを備えている。
【００１３】
情報機器２は、仮想アクセス制御システム１内に少なくとも１台存在し、図１では、情報機器２ａ、２ｂとして２台記載されている。同様に、サーバ４は、仮想アクセス制御システム１内に少なくとも１台存在し、図１では、サーバ４ａ、４ｂとして２台記載されている。
【００１４】
情報機器２は、主として静止画像や動画像等の表示可能な情報を作成する情報機器を想定している。具体的には、デジタルスチルカメラやデジタルビデオカメラを想定しているが、カメラ付き携帯電話であってもよい。また情報機器２として、テキスト情報や数値情報を作成する情報機器でもよい。情報機器２がカメラ付き携帯電話の場合、例えば、内蔵カメラで撮影された画像や、電話帳データが仮想アクセスの対象となる。
【００１５】
情報機器２ａ、２ｂは、それぞれ電子タグ２０と、情報機器２で作成されたデータを記憶する記憶部２１と、サーバ４と接続するための接続ポート２２とを備えている。図１では、情報機器２ｂのみがサーバ４ａに接続されているとしている。
【００１６】
電子タグ２０は、情報機器２に貼付または内蔵された非接触で通信可能な電子タグ（ＲＦＩＤ；Radio Frequency IDentificationの略）である。電子タグ２０は、電池を内蔵するアクティブタイプよりも、電池を内蔵しないパッシブタイプが好ましい。パッシブタイプは、電子タグリーダから受信した電波を整流して直流に変換し、この直流を電源として電子タグの要部であるＩＣが動作し、その通信距離は、数ｃｍ程度である。
【００１７】
電子タグ２０の記憶内容は、この電子タグ２０を有する情報機器２の識別情報Ｉｄ（ｉ）と、情報機器２の形態を示すアイコン画像情報Ｉｃｏｎ（ｉ）と、情報機器２のデータへアクセスするためのサーバアドレス情報Ｓｅｒ（ｉ，ｍ）とを含む。尚、以下の説明では、（ｉ）は、個々の情報機器２を区別するための添字とし、（ｉ，ｍ）のｍは、情報機器（ｉ）のデータをネットワーク５経由で送信可能な複数のサーバ４を区別するための添字とする。
【００１８】
識別情報Ｉｄ（ｉ）としては、例えば、情報機器２の製造メーカ名（或いは製造メーカの識別符号）と、情報機器２の型番と、製造番号とを含むメーカ作成の情報としてもよい。しかしながら最小限の識別情報Ｉｄ（ｉ）としては、仮想アクセス制御装置３から利用するデータを作成した情報機器２を識別できるものとする。
【００１９】
アイコン画像情報Ｉｃｏｎ（ｉ）は、アイコン画像から情報機器２を直感的に認識できるように、実際の情報機器２の形態的特徴を表現したアイコン画像を示すものが好ましい。ここで同じ形態的特徴を有し異なる識別情報Ｉｄ（ｉ）を有する情報機器２が複数台システムに含まれる場合には、アイコン画像の色を変えたり、アイコン画像上に、複数台の同じ形態を有する情報機器を区別するための数字（１，２，３，…）や任意の文字または文字列を付加的な識別符号として重ねて区別してもよい。
【００２０】
サーバアドレス情報Ｓｅｒ（ｉ，ｍ）は、情報機器２が周辺装置として接続されたサーバ４のアドレスを示す場合と、情報機器２から転送されたデータを記憶しているサーバ４のアドレスを示す場合とがある。このアドレス情報の構成は、ネットワーク５に依存し、後述する仮想アクセス制御装置３とサーバ４とを接続するネットワーク５がローカルエリアネットワークであるかインターネットであるかに依る。
【００２１】
仮想アクセス制御装置３は、電子タグリーダ３０と、表示部３１と、入力部３２と、タグ記憶部３３と、送受信部３４と、制御部３５とを備える。尚、仮想アクセス制御装置３は、図示しないバッテリを内蔵し、携帯可能な外形寸法で構成されるのが好ましい。
【００２２】
電子タグリーダ３０は、情報機器２から電子タグ２０の記憶内容を読み取る装置であり、読み取り対象の電子タグ２０の規格である周波数やプロトコルに適合したものである。
【００２３】
表示部３１は、情報機器２のアイコン画像や、情報機器２のデータを表示する表示装置であり、液晶表示装置や有機ＥＬ表示装置を用いてもよい。しかしながら同じ表示を継続する場合には電力を消費しない電子ペーパを表示部３１に用いると、仮想アクセス制御装置３の電源がオフ状態でもアイコン画像や最後に選択した画像の表示を継続可能となるので好ましい。
【００２４】
入力部３２は、表示部３１に表示されたアイコン画像の選択を入力することにより、情報機器２を選択したり、当該情報機器のデータの内、いずれのデータを表示するかの選択等の操作指示を入力する装置である。仮想アクセス制御装置３の携帯性や操作性を考慮すれば、入力部３２は、表示部３１に重ねられたタッチパネルが好ましい。更に、入力部３１をタッチパネルとすると、情報機器２を仮想アクセス制御装置３に載置した位置を検出することができるので、この載置位置に情報機器２のアイコン画像を表示するという制御も可能となる。
【００２５】
タグ記憶部３３は、電子タグリーダ３０が読み込んだ電子タグ２０からの情報を記憶する。情報機器２の識別情報Ｉｄ（ｉ）とアイコン画像情報Ｉｃｏｎ（ｉ）とサーバアドレス情報Ｓｅｒ（ｉ，ｍ）とを関連づけて記憶するために、タグ記憶部３３は、例えばテーブル形式とされる。そして、情報機器２の番号（ｉ）毎に、識別情報Ｉｄ（ｉ）を記憶する識別情報記憶部３３ａと、アイコン画像情報Ｉｃｏｎ（ｉ）を記憶するアイコン画像記憶部３３ｂと、サーバアドレス情報Ｓｅｒ（ｉ，ｍ）を記憶するサーバアドレス記憶部３３ｃを備えている。ここで、サーバアドレス情報Ｓｅｒ（ｉ，ｍ）は、一つの識別情報Ｉｄ（ｉ）に対して、ｍの値が異なる複数のサーバアドレス情報Ｓｅｒ（ｉ，ｍ）を記憶可能なことを示している。
【００２６】
またタグ記憶部３３は、仮想アクセス制御装置３の電源をオフしても記憶内容が消えないフラッシュメモリ等の不揮発性メモリで構成されている。
【００２７】
送受信部３４は、ネットワーク５を介してサーバ４と通信するための送受信部であり、有線による接続でもよいが、仮想アクセス制御装置３の携帯性を良くするためには無線ＬＡＮ等による無線接続が好ましい。
【００２８】
制御部３５は、仮想アクセス制御装置３の全体を制御するとともに、電子タグリーダ３０から読み込んだ電子タグの情報を解析するタグ解析部３６と、入力部３２から入力された入力を解析する入力解析部３７とを備える。特に限定されないが、本実施例では、制御部３５は、ＣＰＵとプログラムＲＯＭと作業用ＲＡＭと入出力ポートとを備えたマイクロプロセッサで構成されている。
【００２９】
タグ解析部３６は、電子タグリーダ３０で読み取った電子タグ２０の記憶内容であるＴａｇ（ｉ）を、識別情報Ｉｄ（ｉ）とアイコン画像情報Ｉｃｏｎ（ｉ）とサーバアドレス情報Ｓｅｒ（ｉ，ｍ）とを分離し、互いに関連づけてタグ記憶部３３へ記憶させる。
【００３０】
入力解析部３７は、入力部３２から入力された操作の表示部３１上の位置座標を計算し、何れのアイコン画像Ｉｃｏｎ（ｉ）に対する入力かを判断する。
【００３１】
図２は、サーバ４の構成例を示すブロック図である。図２に示すように、サーバ４は、ネットワーク５と接続するための送受信部４０と、情報機器２と接続するための周辺装置接続ポート４１と、データ記憶部４２と、制御部４３とを備えている。
【００３２】
制御部４３は、データ記憶部４２に記憶されたデータを検索するデータ検索処理部４４と、周辺装置接続ポート４１に接続された周辺装置を制御する周辺装置制御部４５とを備えている。
【００３３】
周辺装置接続ポート４１は、情報機器２ｂが備えている接続ポート２２に対応した接続ポートであり、例えば、情報機器２がデジタルスチルカメラである場合、標準的なＵＳＢポートや一部の機種ではＩＥＥＥ１３９４ポートである。周辺装置接続ポート４１として両方のポートを備えてもよい。サーバ４ａが識別情報Ｉｄ（ｉ）を有する情報機器２ｂに対するデータを要求された場合、情報機器２ｂがサーバ４ａに接続されていれば、情報機器２ｂの記憶部２１に記憶されているデータＤａｔａ（ｉ，ｋ）を読み出して、仮想アクセス制御装置３へ送り返す。
【００３４】
データ記憶部４２は、情報機器２から転送済みのデータを記憶する記憶部である。データ記憶部４２は、情報機器２の識別情報Ｉｄ（ｉ）毎に、その情報機器２から取得したデータＤａｔａ（ｉ，ｊ）を記憶している。このため、データ記憶部４２は、識別情報Ｉｄ（ｉ）を記憶する識別情報部４２ａと、データＤａｔａ（ｉ，ｊ）を記憶するデータ本体部４２ｂとを備えている。
【００３５】
サーバ４が識別情報Ｉｄ（ｉ）を有する情報機器２に対するデータを要求された場合、データ記憶部４２にデータＤａｔａ（ｉ，ｊ）が記憶されていれば、これを読み出して、仮想アクセス制御装置３へ送り返す。
【００３６】
情報機器２がデジタルスチルカメラの場合、データ記憶部４２に記憶する画像データ形式は、データの互換性の点からＥxif （エグジフ：Ｅxchangeable image file format ）ファイル形式が好ましい。
【００３７】
Ｅxif ファイルのデータ構造は、ヘッダ部と、固定画素数のサムネイル画像と、任意画素数の主画像とを備える。ヘッダ部は、主画像の画素数、圧縮モード、撮影日時、メーカ名、カメラの機種名、絞り値、シャッター速度、ＩＳＯ感度、色空間、データサイズ（バイト数）等の項目を含む。サムネイル画像は、１６０×１２０画素の固定画素数で主画像を圧縮した画像であり、ヘッダ部の各項目と共に画像検索に使用可能である。
【００３８】
次に、図３乃至図５のフローチャート及び図６の概念図を参照して、本実施例の動作を説明する。図３は、仮想アクセス制御装置３による電子タグ２０の読み取り処理を説明するフローチャートである。まず、ステップ（以下、ステップをＳと略す）１０において、ユーザが仮想アクセス制御装置３の入力部３２或いは図示しないスイッチ等を操作して、仮想アクセス制御装置３を電子タグ読み取りモードに設定する。これにより、電子タグリーダ３０に電源供給され電子タグ２０を読み取り可能な状態となる。常に電子タグリーダ３０が読み取り可能な状態とすることは、仮想アクセス制御装置３が内蔵するバッテリの消耗や、同じ周波数帯域を使用する他の電子タグリーダに対する電波干渉の点で好ましくない。
【００３９】
次いで、Ｓ１２において、仮想アクセス制御装置３の制御部３５は、タグ記憶部３３を検索して、既に記憶された情報機器２の識別情報Ｉｄ（ｉ）の数ｎを計数しながら、全ての情報機器２（ｉ）のアイコン画像Ｉｃｏｎ（ｉ）を表示部３１へ表示する。
【００４０】
次いでＳ１４で、制御部３５は、改めて制御変数ｉの値に（ｎ＋１）を設定する。即ち、次に読み取る電子タグ２０は、（ｎ＋１）番目の情報機器２となるからである。
【００４１】
次いでＳ１６で、制御部３５は、電子タグリーダ３０が情報機器２から電子タグ２０の記憶内容であるＴａｇ（ｉ）の読み取り待ちを行う。このＳ１６の読み取り待ち中に、例えば、仮想アクセス制御装置３に上に情報機器２が載置されるなどして、電子タグリーダ３０が情報機器２に付加された電子タグ２０の内容であるＴａｇ（ｉ）が読み取られると、Ｓ１８へ進む。Ｓ１６で、仮想アクセス制御装置３の入力部３２がタッチパネルの場合、情報機器２が載置された位置を記憶しておき、後のＳ２４でアイコンを表示する位置をこの情報機器２が載置された位置とすると、アイコンの表示位置が自然なりわかりやすい。
【００４２】
Ｓ１８では、制御部３５は、電子タグリーダ３０からタグ解析部３６へＴａｇ（ｉ）を転送する。次いでＳ２０で、タグ解析部３６は、Ｔａｇ（ｉ）が既にタグ記憶部３３に記憶されているか否かを判定する。記憶されていれば、Ｓ２６へ移り、既にＴａｇ（ｉ）が登録済みである旨のメッセージを表示部３１に表示して、Ｓ２８へ移る。
【００４３】
Ｓ２０の判定でＴａｇ（ｉ）が記憶されていなければ、Ｓ２２へ進み、タグ解析部３６は、Ｔａｇ（ｉ）から、識別情報Ｉｄ（ｉ）、アイコン画像情報Ｉｃｏｎ（ｉ）、サーバアドレス情報Ｓｅｒ（ｉ，ｍ）を分離して、それぞれを関連づけて、タグ記憶部３３へ記憶させる。次いでＳ２４で、制御部３５は、タグ記憶部３３からアイコン画像情報Ｉｃｏｎ（ｉ）を読み出して、アイコン画像として表示部３１へ表示し、Ｓ２８へ移る。ここで、入力部３２がタッチパネルで構成されている場合、Ｓ１６で記憶した位置にアイコン画像を表示すると、情報機器２の実物を載置した位置にアイコンが表示されることになり、所望の位置にアイコン画像を表示することができる。この状態を図６（ａ）に示す。このアイコン画像６１は、仮想アクセス制御装置３から情報機器２を取り去っても表示が継続される。
【００４４】
Ｓ２８では、制御部３５は、電子タグ読み取りモードの終了が入力されたか否かを判定する。電子タグ読み取りモードの終了が入力されていなければ、制御部３５は、Ｓ３０で制御変数ｉを１だけ増加させて、次の電子タグ２０を読み取るために、Ｓ１６へ戻る。
【００４５】
電子タグ読み取りモードの終了が入力されたと判定した場合、Ｓ３２で制御部３５は、電子タグ読み取りモードを解除し、電子タグリーダ３０の電源をオフして、電子タグの読み取りを終了する。
【００４６】
以上のフローチャートを仮想アクセス制御装置３が実行することにより、電子タグ２０の初期的な読取及び追加的な読取によるタグ情報の取得、及び表示部へのアイコン表示が可能となる。
【００４７】
図４は、仮想アクセス制御装置３が電子タグ２０を読み取った後のデータ閲覧処理を説明するフローチャートである。最初にＳ４０で、仮想アクセス制御装置３がデータ閲覧モードに設定される。データ閲覧モードは、仮想アクセス制御装置３の基本的なモードであり、仮想アクセス制御装置３の電源がオンされたときには、常にデータ閲覧モードに自動的に設定されるようにして、ユーザの操作を省略可能とするのが好ましい。
【００４８】
次いでＳ４２で、制御部３５は、タグ記憶部３３に記憶された全てのアイコン画像情報Ｉｃｏｎ（ｉ）（ｉ＝１〜ｎ）を読み出して、それぞれアイコン画像Ｉｃｏｎ（ｉ）として表示部３１へ表示する。次いでＳ４４で、制御部３５は、入力部３２から操作指示の入力があるか否かを判定する。操作指示の入力がなければ、Ｓ４２へ戻る。操作指示の入力があれば、制御部３５は、Ｓ４６へ進み、入力部３２から入力された操作が表示部３１の何れの座標位置に対するものであるかを判断するために、入力座標を算出する。
【００４９】
次いでＳ４８で、制御部３５は、入力座標に対応するアイコン画像Ｉｃｏｎ（ｉ）を特定する。次いでＳ５０で、制御部３５は、タグ記憶部３３からアイコン画像Ｉｃｏｎ（ｉ）に対応するサーバアドレスＳｅｒ（ｉ，ｍ）と、識別情報Ｉｄ（ｉ）を読み出す。
【００５０】
次いでＳ５２で、制御部３５は、送受信部３４及びネットワーク５を介して、サーバアドレスＳｅｒ（ｉ，ｍ）を有するサーバ４へ、識別情報Ｉｄ（ｉ）を送信する。Ｓ４４の入力からＳ５２の送信を概念的に示したものが図６（ｂ）である。
【００５１】
次いでＳ５４で、制御部３５は、サーバアドレスＳｅｒ（ｉ，ｍ）を有するサーバ４から、ネットワーク５及び送受信部３４を介して、識別情報Ｉｄ（ｉ）を有する情報機器２が作成したデータであるデータＤａｔａ（ｉ，ｊ）、データＤａｔａ（ｉ，ｋ）の何れか一方、または両方を受信する。
【００５２】
データＤａｔａ（ｉ，ｊ）は、情報機器２からサーバ４のデータ記憶部４２へ転送されて記憶されたデータであり、データＤａｔａ（ｉ，ｋ）は、情報機器２が内蔵する記憶部２１からサーバ４により読み出されたデータである。以下、データＤａｔａ（ｉ，ｊ）とデータＤａｔａ（ｉ，ｋ）とを総称してデータＤａｔａ（ｉ）とも呼ぶ。
【００５３】
次いでＳ５６で、制御部３５は、データＤａｔａ（ｉ，ｊ）、データＤａｔａ（ｉ，ｋ）の何れか一方、または両方を画像６２として、表示部３１へ表示し、Ｓ４２へ戻る。Ｓ５６の状態を概念的に図６（ｃ）に示す。
【００５４】
尚、Ｓ５２及びＳ５４において、ｍの値が複数あれば、言い換えれば、識別情報Ｉｄ（ｉ）を有する情報機器２のデータを提供するサーバが複数台あれば、各アドレスへの識別情報Ｉｄ（ｉ）の送信と、データＤａｔａ（ｉ）の受信を複数回繰り返すものとする。即ち、複数台のサーバに識別情報Ｉｄ（ｉ）を有する情報機器２のデータが分散していても複数台全てのサーバからデータを収集することができる。
【００５５】
以上のフローチャートを仮想アクセス制御装置が実行することにより、入力部から指定されたアイコンに対応する情報機器で作成されたデータをネットワークを介して取得し、表示部へ表示させることができる。
【００５６】
図５は、サーバ４の処理を説明するフローチャートである。Ｓ７０において、サーバ４の制御部４３は、仮想アクセス制御装置３からネットワーク５、送受信部４０を介して、データＤａｔａ（ｉ）の要求を受信する。次いでＳ７２で、制御部４３のデータ検索処理部４４は、データ記憶部４２の識別情報部４２ａを検索して、識別情報Ｉｄ（ｉ）を有するデータＤａｔａ（ｉ，ｊ）がデータ記憶部４２に記憶されているか否かを判定する。データＤａｔａ（ｉ，ｊ）が記憶されていれば、Ｓ７４で制御部４３のデータ検索処理部４４は、データ記憶部４２のデータ本体部４２ｂからデータＤａｔａ（ｉ，ｊ）を読み出す。次いでＳ７６で、制御部４３は、送受信部４０及びネットワーク５を介して、データＤａｔａ（ｉ，ｊ）を仮想アクセス制御装置３へ送信する。
【００５７】
次いでＳ７８で制御部４５の周辺装置制御部４５は、識別情報Ｉｄ（ｉ）を有する情報機器２がサーバ４に接続されているか否かを判定する。接続されていればＳ８０へ進み、周辺装置制御部４５は、周辺装置接続ポート４１を介して情報機器２の記憶部２１からデータＤａｔａ（ｉ，ｋ）を読み出す。次いでＳ８２で、制御部４３は、送受信部４０及びネットワーク５を介して、データＤａｔａ（ｉ，ｋ）を仮想アクセス制御装置３へ送信して処理を終了する。
【００５８】
Ｓ７８の判定で、識別情報Ｉｄ（ｉ）を有する情報機器２がサーバ４に接続されていなければ、Ｓ８４へ進む。Ｓ８４では、制御部４３のデータ検索処理部４４は、データ記憶部４２の識別情報部４２ａを検索して、識別情報Ｉｄ（ｉ）を有するデータＤａｔａ（ｉ，ｊ）がデータ記憶部４２に記憶されているか否かを判定する。記憶されていれば、サーバ４は、処理を終了する。記憶されていなければ、Ｓ８６へ進み、制御部４３は、送受信部４０及びネットワーク５を介して、サーバ４から送信可能なデータＤａｔａ（ｉ）がない旨を仮想アクセス制御装置３へ送信して、処理を終了する。
【００５９】
以上のフローチャートの処理により、仮想アクセス制御装置３からデータＤａｔａ（ｉ）の要求を受信したサーバ４は、データＤａｔａ（ｉ）を仮想アクセス制御装置３へ送信することができる。
【００６０】
尚、データＤａｔａ（ｉ）がＥxif 形式の画像データの場合、サーバ４から仮想アクセス制御装置３へのデータの送信は、２段階としてもよい。即ち、サーバ４は、最初にヘッダ部とサムネイル画像とを仮想アクセス制御装置３へ送信して、サムネイル画像を表示部３１へ表示させる。仮想アクセス制御装置３のユーザは、ヘッダ部の撮影日時、画像のタイトル等と、サムネイル画像とから所望の画像を検索する。次いで表示部３１に表示された特定のサムネイル画像が選択された場合に、仮想アクセス制御装置３は、そのサムネイル画像に対応する画像データをサーバ４に要求する。この２段階の転送は、画像枚数が多い場合に、不要なトラフィックを抑制することができ、情報機器を示すアイコンを指定してから、サムネイル画像が表示されるまでの経過時間を短縮することができるので、特に有効である。
【００６１】
また、情報機器２が携帯電話機の場合、付属するカメラで撮影された画像に対する処理は、デジタルスチルカメラの場合と同様である。また携帯電話機の電話帳データや保存されたメールの閲覧は、データが画像ではなく、テキストとなること以外は、同様の処理により仮想アクセス制御装置から閲覧することができる。
【００６２】
さらに、携帯電話機がサーバ４に接続されて、サーバ４から制御可能な場合、仮想アクセス制御装置３から携帯電話機を遠隔操作させることも考えられる。この場合、携帯電話機のアイコンが指定された場合、携帯電話機の操作スイッチを示すアイコンを仮想アクセス制御装置３の表示部３１に表示させる。ユーザが入力部３２から操作スイッチのアイコンを操作すれば、サーバ４を介して携帯電話を操作し、その結果が表示部３１に表示される。このような構成により、新規メールを取得して、表示部３１に表示させることができる。
【００６３】
以上説明した実施形態によれば、データを作成した情報機器が手元になくても、或いは、この情報機器にデータが残っていなくても、さらには、情報機器からデータ転送した転送先のサーバアドレスを覚えていなくても、仮想アクセス制御装置によりデータを取得して利用することができるという効果がある。
【００６４】
また実施形態によれば、仮想アクセス制御装置内に情報機器で作成されたデータを蓄積せずに、必要なときに取得するので、データ蓄積のための容量に制限されることなく、多数の情報機器で作成された多量のデータにアクセスすることができるという効果がある。
【図１】
2010211353.tif 000003
【図２】
2010211353.tif 000004
【図３】
2010211353.tif 000005
【図４】
2010211353.tif 000006
【図５】
2010211353.tif 000007
【図６】
2010211353.tif 000008